(57)【要約】      （修正有）【課題】低背化を図ったコネクタを提供する。【解決手段】コネクタＣは、第１コネクタＣ１を第２コネクタＣ２に対して嵌合してなるコネクタＣであって、第１コネクタＣ１は、側部に第１、第２の突起１１を有し、第２コネクタＣ２は、環状の壁体と、この壁体の外方に臨み垂直方向に設けられた第１の開口部と、この第１の開口部に連通し、水平方向に設けられた第２の開口部と、第２の開口部の開口縁部と壁体の上端縁部との間の壁体に設けられ、第１の突起１１に係止する第３の開口部と、壁体の外方に臨み垂直方向に設けられた第４の開口部と、この第４の開口部に連通し、水平方向に設けられた第５の開口部とを備え、第４の開口部、第５の開口部は、第２の突起の侵入を許容し、第２の突起が第５の開口部内に位置すると共に、第１の突起１１が第３の開口部に係止して、第１コネクタＣ１と第２コネクタＣ２とがロックされるものである。【選択図】図１
2016213047.tif 000002
【特許請求の範囲】
【請求項１】
第１コネクタを第２コネクタに対して嵌合してなるコネクタであって、
前記第１コネクタは、側部に第１、第２の突起を有し、
前記第２コネクタは、環状の壁体と、この壁体の外方に臨み垂直方向に設けられた第１の開口部と、この第１の開口部に連通し、水平方向に設けられた第２の開口部と、前記第２の開口部の開口縁部と前記壁体の上端縁部との間の前記壁体に設けられ、前記第１の突起に係止する第３の開口部と、前記壁体の外方に臨み垂直方向に設けられた第４の開口部と、この第４の開口部に連通し、水平方向に設けられた第５の開口部とを備え、
前記第４の開口部、前記第５の開口部は、前記第１コネクタの前記第２の突起の侵入を許容し、
前記第２の突起が前記第５の開口部内に位置すると共に、前記第１の突起が前記第３の開口部に係止して、前記第１コネクタと前記第２コネクタとがロックされる
ことを特徴とするコネクタ。
【請求項２】
第２の開口部の長手方向の開口長さは、第５の開口部の長手方向の開口長さより長く、
前記第２の開口部と前記第５の開口部は、近接しないように対向するように設けられている
ことを特徴とする請求項１記載のコネクタ。
【請求項３】
第１コネクタは、フォーク端子を有し、
第２コネクタは、前記フォーク端子の間に接触するプラグ端子を有している
ことを特徴とする請求項１記載のコネクタ。
【請求項４】
第１コネクタは、端子を有し、
第２コネクタは、前記端子に接触する導電部を壁体の内壁面に有している
ことを特徴とする請求項１記載のコネクタ。
【発明の詳細な説明】
【技術分野】
【０００１】
本発明は、コネクタに係り、特に、低背化を図ったコネクタに関する。
【背景技術】
【０００２】
図１９は、第１コネクタ（図示せず）の突起（図示せず）を第２コネクタ１００の開口部１０１に対して嵌合してなる従来のコネクタの内、第２コネクタ１００のみを示している。
第２コネクタ１００の開口部１０１に対して第１コネクタ（図示せず）の突起（図示せず）を嵌合し易くするには、開口部１０１の両サイドのスリット１０２、１０３を長くすれば良い。
【発明の概要】
【発明が解決しようとする課題】
【０００３】
しかしながら、スリット１０２、１０３を長くすれば、壁体１０４の高さＡが高くなり、低背化を図ったコネクタを得られないという問題点があった。
【０００４】
本発明は、上記の問題点を考慮してなされた低背化を図ったコネクタを提供することを目的とする。
【課題を解決するための手段】
【０００５】
請求項１記載のコネクタは、第１コネクタを第２コネクタに対して嵌合してなるコネクタであって、前記第１コネクタは、側部に第１、第２の突起を有し、前記第２コネクタは、環状の壁体と、この壁体の外方に臨み垂直方向に設けられた第１の開口部と、この第１の開口部に連通し、水平方向に設けられた第２の開口部と、前記第２の開口部の開口縁部と前記壁体の上端縁部との間の前記壁体に設けられ、前記第１の突起に係止する第３の開口部と、前記壁体の外方に臨み垂直方向に設けられた第４の開口部と、この第４の開口部に連通し、水平方向に設けられた第５の開口部とを備え、前記第４の開口部、前記第５の開口部は、前記第１コネクタの前記第２の突起の侵入を許容し、前記第２の突起が前記第５の開口部内に位置すると共に、前記第１の突起が前記第３の開口部に係止して、前記第１コネクタと前記第２コネクタとがロックされるものである。
【０００６】
また、請求項２記載のコネクタは、請求項１記載のコネクタにおいて、第２の開口部の長手方向の開口長さは、第５の開口部の長手方向の開口長さより長く、前記第２の開口部と前記第５の開口部は、近接しないように対向するように設けられているものである。
【０００７】
また、請求項３記載のコネクタは、請求項１記載のコネクタにおいて、第１コネクタは、フォーク端子を有し、第２コネクタは、前記フォーク端子の間に接触するプラグ端子を有しているものである。
【０００８】
また、請求項４記載のコネクタは、請求項１記載のコネクタにおいて、第１コネクタは、端子を有し、第２コネクタは、前記端子に接触する導電部を壁体の内壁面に有しているものである。
【発明の効果】
【０００９】
請求項１記載のコネクタによれば、第３の開口部は、第２の開口部の開口縁部と壁体の上端縁部との間の前記壁体の部位に設けられているため、コネクタの低背化を図って、つまり、壁体の高さ方向を高くしないで、第２の開口部の開口縁部を水平方向に長く取ることができ、長く取った分、第２の開口部の開口縁部と壁体の上端縁部との間の部位にバネ性を持たせて、第１の突起が第３の開口部に係止し易くすると共に、係止後、係止状態をも強くして、第１コネクタと第２コネクタとをロックすることができる。
【００１０】
また、請求項２記載のコネクタによれば、前述の請求項１記載の発明の効果に加え、第２の開口部の長手方向の開口長さは、第５の開口部の長手方向の開口長さより長く、第２の開口部と第５の開口部は、近接しないように対向するように設けられているため、壁体の強度低下を防止しながら、第２の開口部の開口縁部を水平方向に長く取って、第２の開口部の開口縁部と壁体の上端縁部との間の部位にバネ性を持たせて、第１の突起が第３の開口部に係止し易くすると共に、係止後、係止状態をも強くして、第１コネクタと第２コネクタとをロックすることができる。
【００１１】
また、請求項３記載のコネクタによれば、前述の請求項１記載の発明の効果に加え、第２コネクタは、第１コネクタのフォーク端子の間に接触するプラグ端子を有しているため、コネクタの低背化を図りつつ、確実な接触を行うことができる。
【００１２】
また、請求項４記載のコネクタによれば、前述の請求項１記載の発明の効果に加え、第２コネクタは、第１コネクタの端子に接触する導電部を壁体の内壁面に有しているため、コネクタの低背化を図ったロック機構を備えると共に、コネクタの直径寸法をも小さくしてコンパクト化を図ることができる。
【図面の簡単な説明】
【００１３】
【図１】図１は、本発明の一実施例のコネクタの接合前の概略的斜視図である。
【図２】図２は、図１のコネクタの接合状態の概略的断面斜視図である。
【図３】図３は、図１の第１コネクタの概略的斜視図である。
【図４】図４は、図３と異なる方向から見た図１の第１コネクタの概略的斜視図である。
【図５】図５は、図１の第１コネクタの概略的分解斜視図である。
【図６】図６は、図１の第２コネクタの概略的斜視図である。
【図７】図７（Ａ）〜（Ｄ）は、壁体の第１の開口部、第２の開口部、第３の開口部の側から見た概略的斜視図であり、図７（ａ）〜（ｄ）は、壁体の第４の開口部、第５の開口部の側から見た概略的斜視図であり、図７（Ａ）は図７（ａ）に、図７（Ｂ）は図７（ｂ）に、図７（Ｃ）は図７（ｃ）に、図７（Ｄ）は図７（ｄ）に、それぞれ対応している。
【図８】図８は、第１コネクタの端子と第２コネクタのプラグ端子が離間した状態の概略的斜視図である。
【図９】図９は、図８の第１コネクタの端子と第２コネクタのプラグ端子が接合した状態の概略的斜視図である。
【図１０】図１０は、図９の第１コネクタの端子と第２コネクタのプラグ端子が接合した状態で回転した状態の概略的斜視図である。
【図１１】図１１は、図１乃至図１０記載のコネクタと異なる他の実施例のコネクタの接合前の概略的斜視図である。
【図１２】図１２は、図１１のコネクタの接合状態の概略的断面斜視図である。
【図１３】図１３は、図１１の第１コネクタの概略的斜視図である。
【図１４】図１４は、図１３の第１コネクタの概略的分解斜視図である。
【図１５】図１５は、図１１の第２コネクタの概略的斜視図である。
【図１６】図１６は、図１５と異なる方向から見た図１１の第２コネクタの概略的斜視図である。
【図１７】図１７は、図１５の第２コネクタの概略的断面斜視図である。
【図１８】図１８は、図１５の第２コネクタのプラグ端子の概略的斜視図である。
【図１９】図１９は、従来の第２コネクタの概略的斜視図である。
【発明を実施するための形態】
【００１４】
本発明の一実施例のコネクタを図面（図１乃至図１０）を参照して説明する。 
図１及び図２に示すＣは、第１コネクタ（例えば、ソケット）Ｃ１を第２コネクタ（例えば、プラグ）Ｃ２に対して嵌合してなるコネクタである。
このコネクタＣは、例えば、防水性を備えた多芯ケーブル用低背コネクタに好適である。
【００１５】
第１コネクタＣ１は、図３乃至図５に示すように、オーバーモールド成形された第１コネクタ本体１の側部に第１の突起１１、第２の突起１２を有し、ケーブル１４、接触点となる端子（例えば、フォーク端子）１５、ハウジング１６、封止部１７を有する。
【００１６】
第２コネクタＣ２は、図６に示すように、環状の壁体２、この壁体２の外方に臨み垂直方向に設けられた第１の開口部（例えば、縦長の第１の開口部）２１と、この第１の開口部２１に連通し、水平方向に設けられた第２の開口部（例えば、横長の第２の開口部）２２と、この第２の開口部２２の開口縁部２２１と壁体２の上端縁部２０との間の壁体２に設けられ、第１の突起１１に係止する第３の開口部２３と、壁体２の外方に臨み垂直方向に設けられた第４の開口部（例えば、縦長の第４の開口部）２４と、この第４の開口部２４に連通し、水平方向に設けられた第５の開口部（例えば、横長の第５の開口部）２５と、端子（例えば、フォーク端子の間）１５に接触するプラグ端子２７を備えている。
【００１７】
第４の開口部２４、第５の開口部２５は、第１コネクタＣ１の第２の突起１２の侵入を許容し、第２の突起１２が第５の開口部２５内に位置すると共に、第１の突起１１が第３の開口部２３に係止して、第１コネクタＣ１と第２コネクタＣ２とがロックされることとなる。図６に示す１７’は、パッキンである。
【００１８】
つまり、図７を参照して説明すると、図７（Ａ）〜（Ｄ）は、壁体２の第１の開口部２１、第２の開口部２２、第３の開口部２３の側から見た図であり、図７（ａ）〜（ｄ）は、壁体２の第４の開口部２４、第５の開口部２５の側から見た図であり、図７（Ａ）は図７（ａ）に、図７（Ｂ）は図７（ｂ）に、図７（Ｃ）は図７（ｃ）に、図７（Ｄ）は図７（ｄ）に、それぞれ対応している。
第１コネクタＣ１の端子１５と第２コネクタＣ２プラグ端子２７が離間した状態（図８）から、第１の突起１１を第１の開口部２１を介して侵入させる[図７（Ａ）（Ｂ）、図９]。その際、第２の突起１２の側では、第２の突起１２は第４の開口部２４を介して侵入する[図７（ａ）（ｂ）、図１０]。
次に、第１コネクタＣ１を図７（Ｃ）（Ｄ）に示すように時計回りに回転させると、第２の開口部２２の開口縁部２２１と壁体２の上端縁部２０との間の壁体２は、第１の突起１１により外側に押され、第１の突起１１が第３の開口部２３に係止する。その際、第２の突起１２の側では、第２の突起１２は第５の開口部２５を介して侵入することとなる[図７（ｃ）（ｄ）]。
【００１９】
従って、上述したコネクタＣによれば、第３の開口部２３は、第２の開口部２２の開口縁部２２１と壁体２の上端縁部２０との間の壁体２の部位に設けられているため、コネクタＣの低背化を図って、つまり、壁体２の高さ方向を高くしないで、第２の開口部２２の開口縁部２２１を水平方向に長く[図７（Ａ）のＬ寸法]取ることができ、長く取った分、第２の開口部２２の開口縁部２２１と壁体２の上端縁部２０との間の部位にバネ性を持たせて、第１の突起１１が第３の開口部２３に係止し易くすると共に、係止後、係止状態をも強くして、第１コネクタＣ１と第２コネクタＣ２とをロックすることができる。
【００２０】
また、第２の開口部２２の長手方向の開口長さＬ[図７（Ａ）]は、第５の開口部２２の長手方向の開口長さｌ[図７（ａ）Ｌ＞ｌ]より長く、第２の開口部２２と第５の開口部２５は、近接しないように対向するように設けられているため、壁体２の強度低下を防止しながら、第２の開口部２２の開口縁部２２１を水平方向に長く取って、第２の開口部２２の開口縁部２２１と壁体２の上端縁部２０との間の部位にバネ性を持たせて、第１の突起１１が第３の開口部２３に係止し易くすると共に、係止後、係止状態をも強くして、第１コネクタＣ１と第２コネクタＣ２とをロックすることができる。
【００２１】
更に、第２コネクタＣ２は、図９及び図１０に示すように、第１コネクタＣ１のフォーク端子１５の間に接触するプラグ端子２７を有しているため、コネクタＣの低背化を図りつつ、確実な接触を行うことができる。
【００２２】
また、フォーク端子１５とプラグ端子２７とは、例えば、フォーク端子１５を回転させることにより摺動距離の延長化を図って接触信頼性を向上させることができる。また、回転構造とすることで、端子１５をフォーク形状などとすることが可能となり、その結果、端子間の接圧ｕｐが可能となる。この接圧ｕｐによるセルフクリーニング（ワイピング）効果も向上する。
即ち、上述したコネクタＣは、有効嵌合長が短くても、嵌合方向と直交する回転構造のロック方式であるため、接触信頼性に優れたものである。
【００２３】
次に、直径寸法を小さくすることができるコネクタＣの実施例について、以下説明する（図１１乃至図１８）。
図１１及び図１２に示すＣは、第１コネクタ（例えば、ソケット）Ｃ１を第２コネクタ（例えば、プラグ）Ｃ２に対して嵌合してなるコネクタである。
【００２４】
第１コネクタＣ１は、図１３及び図１４に示すように、オーバーモールド成形された第１コネクタ本体１の側部に第１の突起１１、第２の突起（図示しないが、図３に示す１２に相当）を有し、リテーナ１３、ケーブル１４、接触点となる端子１５、ハウジング１６、パッキン１７を有する。
【００２５】
第２コネクタＣ２は、図１５及び図１６に示すように、環状の壁体２、この壁体２の外方に臨み垂直方向に設けられた第１の開口部（例えば、縦長の第１の開口部）２１と、この第１の開口部２１に連通し、水平方向に設けられた第２の開口部（例えば、横長の第２の開口部）２２と、第２の開口部２２の開口縁部２２１と壁体２の上端縁部２０との間の壁体２に設けられ、第１の突起１１に係止する第３の開口部２３と、壁体２の外方に臨み垂直方向に設けられた第４の開口部（例えば、縦長の第４の開口部）２４と、この第４の開口部２４に連通し、水平方向に設けられた第５の開口部（例えば、横長の第５の開口部）２５とを備えている。
【００２６】
そして、上述した実施例と同様、第４の開口部２４、第５の開口部２５は、第１コネクタＣ１の第２の突起（図示しないが、図３に示す１２に相当）の侵入を許容し、第２の突起（図示しないが、図３に示す１２に相当）が第５の開口部２５内に位置すると共に、第１の突起１１が第３の開口部２３に係止して、第１コネクタＣ１と第２コネクタＣ２とがロックされることとなる。
第２コネクタＣ２は、図１５及び図１７に示すように、第１コネクタＣ１の端子１５に接触する導電部２７１を壁体２の内壁面に有している。そのため、コネクタＣは、低背化を図ったロック機構を備えると共に、コネクタＣの直径寸法をも小さくしてコンパクト化を図ることができる。
【００２７】
なお、図１５記載の第２コネクタＣ２にあっては、導電部２７１が壁体２の内壁面に設置されることにより、導電部（プラグ端子）２７１の端子の保護［プラグ端子の保護（プラグ端子曲がりや、第１コネクタＣ１（ソケット）と導電部（プラグ端子）２７１の衝突防止）］ができる。
【００２８】
また、通常プラグ端子接触部は、３６０°剥き出し状態となるが、図１５記載の第２コネクタＣ２にあっては、導電部２７１が壁体２の内壁面に設置されるため、１８０°のみが剥き出しとなるため、導電部（プラグ端子）２７１の保護が可能となる。
【００２９】
Ｃ      コネクタ
Ｃ１    第１コネクタ
Ｃ２    第２コネクタ
２      壁体
１１    第１の突起
１２    第２の突起
２０    上端縁部
２１    第１の開口部
２２    第２の開口部
２３    第３の開口部
２４    第４の開口部
２５    第５の開口部
２２１  開口縁部
【図１】
2016213047.tif 000003
【図２】
2016213047.tif 000004
【図３】
2016213047.tif 000005
【図４】
2016213047.tif 000006
【図５】
2016213047.tif 000007
【図６】
2016213047.tif 000008
【図７】
2016213047.tif 000009
【図８】
2016213047.tif 000010
【図９】
2016213047.tif 000011
【図１０】
2016213047.tif 000012
【図１１】
2016213047.tif 000013
【図１２】
2016213047.tif 000014
【図１３】
2016213047.tif 000015
【図１４】
2016213047.tif 000016
【図１５】
2016213047.tif 000017
【図１６】
2016213047.tif 000018
【図１７】
2016213047.tif 000019
【図１８】
2016213047.tif 000020
【図１９】
2016213047.tif 000021